(57)【要約】      （修正有）【課題】ソール設計、バランスウエイト構造、バウンス角を任意に調整、変更可能なゴルフクラブヘッドを提供する。【解決手段】フェース部と、ソール置換ブロックと、固定部とを含み、ソール置換ブロックは、フェース部の配置面に固定し、かつ一辺がフェース部の底面の縁に合わせて、ゴルフクラブヘッドのソールを形成する。固定部は、螺合、固定ピンの方式を提供し、ソール置換ブロックをフェース部の配置面に固定して、ソール置換ブロックを交換することにより、クラブヘッドの重心を調整、修正するとともに、外型が異なるソール置換ブロックを利用することで、バウンス角とスクープ角を調整する。【選択図】図２Ｃ
0003144247.tif 000002
【実用新案登録請求の範囲】
【請求項１】
打球面と前記打球面の裏側に位置する配置面とを有するフェース部と、
裏表の位置に配置された貼合面とソールとを有し、前記貼合面は前記配置面に貼合わせ、一辺が前記フェース部の底面の縁にぴったりと合い、ソールと前記フェース部の底面とが曲線を形成し、前記曲線と水平線がバウンス角（Ｂｏｕｎｃｅ  Ａｎｇｌｅ）を形成するソール置換ブロックと、
前記ソール置換ブロックを前記フェース部の配置面に固定する固定部と、
を含むバウンス角調整の交換構造を有するゴルフクラブヘッド。
【請求項２】
前記固定部はネジであり、前記ソール置換ブロックを前記フェース部に螺合する請求項１に記載のバウンス角調整の交換構造を有するゴルフクラブヘッド。
【請求項３】
前記固定部はピンであり、前記ソール置換ブロックを固定ピン方式で前記フェース部に固定する請求項１に記載のバウンス角調整の交換構造を有するゴルフクラブヘッド。
【請求項４】
前記ソール置換ブロックはバランスウエイト素子をさらに含む請求項１に記載のバウンス角調整の交換構造を有するゴルフクラブヘッド。
【請求項５】
前記バランスウエイト素子はナットであり、ネジによって前記ソール置換ブロックの前記ソールに螺合して固定する請求項４に記載のバウンス角調整の交換構造を有するゴルフクラブヘッド。
【請求項６】
前記バランスウエイト素子はナットであり、前記ソール置換ブロックの前記貼合面にネジ穴を設け、前記ナットはネジによって前記ネジ穴に螺合して固定する請求項４に記載のバウンス角調整の交換構造を有するゴルフクラブヘッド。
【請求項７】
前記ソール置換ブロックに前記貼合面から溝を設け、前記バランスウエイト素子は前記溝に嵌めこむバランスウエイトブロックである請求項４に記載のバウンス角調整の交換構造を有するゴルフクラブヘッド。
【請求項８】
前記ソール置換ブロックはバランスウエイトブロックである請求項１に記載のバウンス角調整の交換構造を有するゴルフクラブヘッド。
【請求項９】
ウェッジ（Ｗｅｄｇｅ）のクラブヘッドである請求項１に記載のバウンス角調整の交換構造を有するゴルフクラブヘッド。
【請求項１０】
前記ウェッジはピッチングウェッジ（Ｐｉｔｃｈｉｎｇ  Ｗｅｄｇｅ，ＰＷ）である請求項９に記載のバウンス角調整の交換構造を有するゴルフクラブヘッド。
【請求項１１】
前記バウンス角は５度〜７度の間である請求項１０に記載のバウンス角調整の交換構造を有するゴルフクラブヘッド。
【請求項１２】
前記ウェッジはサンドウェッジ（Ｓａｎｄ  Ｗｅｄｇｅ，ＳＷ）である請求項９に記載のバウンス角調整の交換構造を有するゴルフクラブヘッド。
【請求項１３】
前記バウンス角をは１０度〜１２度の間である請求項１２に記載のバウンス角調整の交換構造を有するゴルフクラブヘッド。
【請求項１４】
前記ウェッジはオールパーパスウェッジ（Ａｌｌ−ｐｕｒｐｏｓｅ  Ｗｅｄｇｅ）である請求項９に記載のバウンス角調整の交換構造を有するゴルフクラブヘッド。
【請求項１５】
前記バウンス角は０度〜５度の間である請求項１４に記載のバウンス角調整の交換構造を有するゴルフクラブヘッド。
【請求項１６】
前記ウェッジはロブウェッジ（Ｌｏｂ  Ｗｅｄｇｅ）である請求項９に記載のバウンス角調整の交換構造を有するゴルフクラブヘッド。
【請求項１７】
前記バウンス角は３度〜４度の間である請求項１６に記載のバウンス角調整の交換構造を有するゴルフクラブヘッド。
【請求項１８】
前記ソール置換ブロックの材質は、鉄、ニオブ、クロム、アルミニウム、銅、マンガン、コバルト、ジルコニウム、チタン、バナジウム、タンタル、銀、ニッケルおよびタングステンからなる群より選ばれる請求項１に記載のバウンス角調整の交換構造を有するゴルフクラブヘッド。
【請求項１９】
前記ソール置換ブロックは、タングステン、鉄、ニッケルとゴムにより構成される請求項１に記載のバウンス角調整の交換構造を有するゴルフクラブヘッド。
【請求項２０】
前記フェース部の材質は、鉄、ニオブ、クロム、アルミニウム、銅、マンガン、コバルト、ジルコニウム、チタン、バナジウム、タンタル、銀、ニッケルおよびタングステンからなる群より選ばれる請求項１に記載のバウンス角調整の交換構造を有するゴルフクラブヘッド。
【考案の詳細な説明】
【技術分野】
【０００１】
本考案はゴルフクラブヘッド、特にソール部とフェース部とを個別に製作し、ソール部を迅速に交換できるようにしたゴルフクラブヘッドに関する。
【背景技術】
【０００２】
従来技術では、全タイプのゴルフクラブヘッドにおいて、同じ種類のクラブのソールの形状、構造、角度は、固定された設計がなされている。３０度の地面と４５度の地面など、異なる傾斜角の地面で使用者が打球した場合、ソールが地面に衝突し、打球を行うことができない可能性がある。
【０００３】
図１は、ウェッジを例としている。公知のゴルフクラブヘッドにおいて、ウェッジ（Ｗｅｄｇｅ）のホーゼル１０とヘッド１１のフェース面とによって形成されるロフト角（Ｌｏｆｔ）ｃ、ヘッドのソール１２と水平線によって形成されるスクープ角（Ｓｃｏｏｐ  Ａｎｇｌｅ）ａ、バウンス角（Ｂｏｕｎｃｅ  Ａｎｇｌｅ）ｂは、出荷前にすでに良好に調整がなされている。
しかし、人によってスイングの姿勢、力などの条件が異なることに加え、ウェッジは、主にバンカー、ラフなどのハザードからゴルフボールを打ち出すために用いられるものであるため、業者はハザードのタイプ、使用者の体型、地形の勾配、角度の変化などの要素に基づき異なるクラブヘッドを設計している。
また、クラブヘッド内部または表面に様々なタイプのソール外型とバランスウエイト調整構造が設計され、使用者の打球習性に合わせて各種の異なるバウンス角（Ｂｏｕｎｃｅ  Ａｎｇｌｅ）が形成されており、バランスウエイト調整構造を利用してクラブの重心を調整している。
【０００４】
しかし、従来技術は、次のような不可避の欠点を有する。
（１）現在、ゴルフクラブヘッド製品には、ピッチングウェッジ（Ｐｉｔｃｈｉｎｇ  Ｗｅｄｇｅ，ＰＷ）、サンドウェッジ（Ｓａｎｄ  Ｗｅｄｇｅ，ＳＷ）などの多くのタイプがある。
これらのクラブヘッドの多くは一体成形されているため、主な重心を支えるヘッドソール１２の形状、配置は固定されており、バランスウエイト調整構造を利用して微調整を行うしかない。
クラブヘッドの過度の使用のため、または使用者による不適切な使用のため、クラブヘッドのソールが磨耗し、外形が窪み、重心がずれた場合、バランスウエイト調整構造が作用しなくなる。
（２）各クラブヘッドの製造時に、ソールの外形、配置位置は固定されているため、使用者の習性、好みによってバウンス角、スクープ角を調整することができない。
【考案の開示】
【考案が解決しようとする課題】
【０００５】
本考案は以上の点に鑑みて成されたもので、本考案が解決しようとする課題は、ゴルフクラブヘッドのソール設計、バランスウエイト構造、バウンス角（Ｂｏｕｎｃｅ  Ａｎｇｌｅ）を任意に調整、変更可能なゴルフクラブヘッドを提供することである。
【課題を解決するための手段】
【０００６】
前記の構造的問題を解決するため、本考案で提供する技術手段は、バウンス角調整の交換構造を有するゴルフクラブヘッドを開示することである。このゴルフクラブヘッドは、フェース部と、ソール置換ブロックと、固定部とを含む。フェース部は、面積が比較的大きい２つの面を有し、１つは打球面で、もう１つは打球面の裏側に位置する配置面である。ソール置換ブロックは、裏表の位置に配置された貼合面とソールとを有し、貼合面はフェース部の配置面に面し、配置面に貼合せ、かつ一辺がフェース部の底面の縁にぴったり合うようにする。ソール置換ブロックのソールとフェース部の底面とは、連続した曲線を形成し、水平線とバウンス角（Ｂｏｕｎｃｅ  Ａｎｇｌｅ）を形成する。固定部は、ソール置換ブロックをフェース部の配置面に固定するために用いる。
【０００７】
本考案で開示するバウンス角調整の交換構造を有するゴルフクラブヘッドにおいて、固定部は螺合または固定ピンの方式でソール置換ブロックをフェース部に固定する。
【０００８】
本考案で開示するバウンス角調整の交換構造を有するゴルフクラブヘッドにおいて、ソール置換ブロックにはさらにバランスウエイト素子が配置されている。このバランスウエイト素子をナットとし、ネジでソール置換ブロックのソール位置に螺合し固定する。または、バランスウエイト素子をバランスウエイトブロックとし、バランスウエイトブロックの形状に対応した溝をソール置換ブロックの貼合面に設け、バランスウエイトブロックをその中に嵌めこむ。または、バランスウエイト素子をナットとし、ソール置換ブロックの貼合面にネジ穴を設け、ネジでナットをネジ穴の中に固定する。また、ソール置換ブロック全体をバランスウエイトブロックとすることもできる。
【０００９】
本考案で開示するバウンス角調整の交換構造を有するゴルフクラブヘッドを、ウェッジのクラブヘッドとする。ウェッジのタイプは、ピッチングウェッジ（Ｐｉｔｃｈｉｎｇ  Ｗｅｄｇｅ，ＰＷ）と、サンドウェッジ（Ｓａｎｄ  Ｗｅｄｇｅ，ＳＷ）と、オールパーパスウェッジ（Ａｌｌ−ｐｕｒｐｏｓｅ  Ｗｅｄｇｅ）と、ロブウェッジ（Ｌｏｂ  Ｗｅｄｇｅ）とを含む。
【００１０】
本考案で開示するバウンス角調整の交換構造を有するゴルフクラブヘッドにおいて、ピッチングウェッジのバウンス角は５度〜７度の間とし、サンドウェッジ（Ｓａｎｄ  Ｗｅｄｇｅ，ＳＷ）のバウンス角は１０度〜１２度の間とし、オールパーパスウェッジ（Ａｌｌ−ｐｕｒｐｏｓｅ  Ｗｅｄｇｅ）のバウンス角は０度〜５度の間とし、ロブウェッジ（Ｌｏｂ  Ｗｅｄｇｅ）のバウンス角は３度〜４度の間とする。
【考案の効果】
【００１１】
本考案は、従来技術によって達成できない次の効果を有する。
（１）使用者は、様々な形状、配置位置のソール置換ブロックに任意に交換することができ、使用者個人の打球テクニックと習慣に基づき、クラブヘッドのバウンス角（Ｂｏｕｎｃｅ  Ａｎｇｌｅ）、スクープ角（Ｓｃｏｏｐ  Ａｎｇｌｅ）、クラブの重心を調整し、打球者に最も合った、最も快適な打球角度を達成する。
（２）様々な形状のソール置換ブロックに交換することにより、異なるバウンス角とスクープ角を生成することができ、打球者の習性に適合させることができるだけでなく、異なる勾配、角度に変化するバンカー、異なる深さのラフに適用することができる。
（３）クラブのソール部全体、すなわち配置したソール置換ブロックが破損した場合、ソール置換ブロックを直接交換することができ、クラブの修理、または新しいクラブの購入が必要なく、クラブの修理と購入のコストを下げることができる。
【考案を実施するための最良の形態】
【００１２】
本考案の目的、構造的特徴および機能をさらに理解するため、関連実施例および図面により、次のとおり詳細に説明する。
【００１３】
図２Ａ、図２Ｂ、図２Ｃは、本考案の第１実施例の分解図、組立図、断面概要図である。
本考案で開示するゴルフクラブヘッドは、ウッド、アイアン、パター、ウェッジなどの各種タイプのクラブヘッドに適しており、本実施例では、ウェッジにより説明する。
【００１４】
このウェッジのクラブヘッドは、２つの部分に分かれる。その１つはフェース部２１、もう１つは第１ソール置換ブロック２２である。
第１ソール置換ブロック２２は、固定部を介してフェース部２１に固定される。
【００１５】
フェース部２１は、ウェッジのホーゼル１０に接続し、面積が比較的大きく、かつ裏表の位置にある２つの面を有する。
１つは打球面２１１、１つは配置面２１２である。
打球面２１１は、ホーゼル１０とロフト角ｃ（Ｌｏｆｔ）を形成し、上向きの面に配置される。
配置面２１２は、打球面２１１の裏側の位置にある面に配置されるが、その傾斜角は限定されない。
【００１６】
第１ソール置換ブロック２２は、貼合面２２１とソール２２２とを有する。
図２Ａに示すように、貼合面２２１とソール２２２は、裏表の位置にある。
貼合面２２１は、フェース部２１の配置面２１２側に貼合わせ、かつ貼合面２２１の一辺は、フェース部２１の底面２１３の縁にぴったりと合う。
【００１７】
図２Ｂに示すように、第１ソール置換ブロック２２のソール２２２は、弧形を呈する。
その外側の線は、フェース部２１の底面２１３の縁に伸び、フェース部２１の底面２１３に接続し、フェース部２１のリーディングエッジ（Ｌｅａｄｉｎｇ  Ｅｄｇｅ）の位置まで曲線を形成する。
この曲線は、水平線とバウンス角（Ｂｏｕｎｃｅ  Ａｎｇｌｅ）を形成する。
【００１８】
固定部は、第１ソール置換ブロック２２をフェース部２１の配置面２１２に固定する。
最もよく見られる固定方法は、螺合である。
図２Ｃに示すとおり、固定部をネジ２３とする。
フェース部２１に配置面２１２からネジ穴を設け、ソール２２２と貼合面２２１とを貫通する穿孔を第１ソール置換ブロック２２に設ける。
第１ソール置換ブロック２２を配置面２１２に貼合わせるとき、穿孔のある貼合面２２１の開口部は、ネジ穴のある配置面２１２の開口部にぴったりと合い、かつ、穿孔とネジ穴は同一軸上にある。
さらにホーゼル１０を利用して穿孔に通し、ネジ穴の中に螺合し、第１ソール置換ブロック２２をフェース部２１に固定する。
同様に、固定部をピンとし、第１ソール置換ブロック２２を固定ピンの方式でフェース部２１の配置面２１２に固定することもできるが、ここでは詳しく述べない。
【００１９】
本実施例において、ウェッジのタイプは、ピッチングウェッジ（Ｐｉｔｃｈｉｎｇ  Ｗｅｄｇｅ，ＰＷ）、サンドウェッジ（Ｓａｎｄ  Ｗｅｄｇｅ，ＳＷ）、オールパーパスウェッジ（Ａｌｌ−ｐｕｒｐｏｓｅ  Ｗｅｄｇｅ）、ロブウェッジ（Ｌｏｂ  Ｗｅｄｇｅ）を含む。
打球面２１１は、ウェッジのタイプに基づき、ホーゼル１０と様々な角度のロフト角（Ｌｏｆｔ）を形成する。例えば、ピッチングウェッジ（Ｐｉｔｃｈｉｎｇ  Ｗｅｄｇｅ，ＰＷ）のロフト角は約４６度、サンドウェッジ（Ｓａｎｄ  Ｗｅｄｇｅ，ＳＷ）のロフト角は約５６度，オールパーパスウェッジ（Ａｌｌ−ｐｕｒｐｏｓｅ  Ｗｅｄｇｅ）のロフト角は約５１度である。
【００２０】
バウンス角も同様に、ウェッジのタイプに基づき、様々な角度を形成する。ピッチングウェッジ（Ｐｉｔｃｈｉｎｇ  Ｗｅｄｇｅ，ＰＷ）のバウンス角は５度〜７度の間、サンドウェッジ（Ｓａｎｄ  Ｗｅｄｇｅ，ＳＷ）のバウンス角は１０度〜１２度の間、オールパーパスウェッジ（Ａｌｌ−ｐｕｒｐｏｓｅ  Ｗｅｄｇｅ）のバウンス角は０度〜５度の間、ロブウェッジ（Ｌｏｂ  Ｗｅｄｇｅ）のバウンス角は３度〜４度の間である。
【００２１】
また、フェース部２１と第１ソール置換ブロック２２の材質は、鉄、ニオブ、クロム、アルミニウム、銅、マンガン、コバルト、ジルコニウム、チタン、バナジウム、タンタル、銀、ニッケルおよびタングステンの金属およびそれによって構成される合金、例えばチタン合金、ステンレス鋼、炭素鋼、低炭素鋼、合金鋼、低合金鋼、マルエージング鋼、鋳鉄、構造用鋼、アルミニウム合金、マグネシウム合金、銅合金とすることができる。
構造の弾性を高めるため、第１ソール置換ブロック２２は、タングステン、鉄、ニッケルとゴムなどの材質によって構成することができる。
かつ、第１ソール置換ブロック２２全体をバランスウエイトブロックとみなして設計することもでき、つまり、第１ソール置換ブロック２２全体を交換可能なバランスウエイトブロックとすることができる。
【００２２】
図３は、本考案の第２実施例の構造概要図である。第１実施例と異なる箇所として、第２実施例の第２ソール置換ブロック３２と第１実施例の第１ソール置換ブロック２２は、形状、構造が異なるが、構成材質は同じとすることができる。
【００２３】
図２Ｂを同時に参照すると、第１ソール置換ブロック２２と第２ソール置換ブロック３２とを比べると、第２ソール置換ブロック３２２のソール３２２のラジアンは、第１ソール置換ブロック２２のソール２２２のラジアンよりも小さい。
比較的滑らかで平坦な曲線を形成しているため、第２ソール置換ブロック３２のソールを第１ソール置換ブロック２２のソール２２２と比べると、配置位置がずれている。ホーゼル１０を傾斜させなければ、第２ソール置換ブロック３２のソール３２２を水平線と交わらせることができないため、生成されるスクープ角ａ２およびバウンス角ｂ２は、第１ソール置換ブロック２２のソール２２２と水平線によって生成されるスクープ角ａ１およびバウンス角ｂ１と異なる。
クラブヘッドの重心も異なり、第１ソール置換ブロック２２を交換することによって、クラブの重心、スクープ角、バウンス角を調整する効果を達成することができる。
【００２４】
図４Ａと図４Ｂは、本考案の第３実施例の構造概要図である。
第１実施例と異なる箇所は、第３ソール置換ブロック４２のソール４２２に近い位置に、バランスウエイト素子を追加して設計していることである。
【００２５】
本実施例において、バランスウエイト素子をナット４４とし、ネジ４３を利用して第３ソール置換ブロックに固定する。
先ず、第３ソール置換ブロック４２のソールに、深いところと浅いところで２つの異なる孔径を有するネジ穴４５を設ける。深いところの小さい孔径はネジ４３の軸の直径に合い、浅いところの大きい孔径はナット４４の外径に合う。
調整時に、ナット４４をネジ４３の軸に事前に螺合しておき、さらにネジ４３によってネジ穴４５に螺合し、ナット４４をネジ穴４５の中に固定する。
【００２６】
図５は、本考案の第４実施例の構造概要図である。第３実施例と異なる箇所は、バランスウエイト素子をバランスウエイトブロックとしていることである。
【００２７】
第４ソール置換ブロック５２の貼合面５２１に、固定部と干渉しないように溝５２３を設ける。
溝５２３の形状はバランスウエイトブロック５３に対応し、バランスウエイトブロック５３をその中に嵌めこみ、バランスウエイトの効果を形成する。
【００２８】
図６Ａと図６Ｂは、本考案の第５実施例の構造概要図である。
バランスウエイト素子をナットとするが、第３実施例と異なる箇所は、ナットの配置位置が異なることである。
【００２９】
本実施例において、バランスウエイト素子をナット６４とし、ネジ６３を利用して第５ソール置換ブロック６２に固定する。
先ず、第５ソール置換ブロック６２の貼合面６２１に、深いところと浅いところで２つの異なる孔径を有するネジ穴６５を設ける。
深いところの小さい孔径はネジ６３の軸の直径に合い、浅いところの大きい孔径はナット６４の外径に合う。
調整時に、ナット６４をネジ６３の軸に事前に螺合しておき、さらにネジ６３によってネジ穴６５に螺合し、ナット６４をネジ穴６５の中に固定する。
【００３０】
本考案において、前記のとおり比較的優れた実施例を開示したが、本考案を限定するためのものではなく、当業者が本考案の主旨と範囲を逸脱せずに実施する同等の変更と修飾は、本考案の権利の保護範囲内とする。
【図面の簡単な説明】
【００３１】
【図１】従来技術の構造概要図である。
【図２Ａ】本考案の第１実施例の構造分解概要図である。
【図２Ｂ】本考案の第１実施例の構造組立概要図である。
【図２Ｃ】本考案の第１実施例の構造断面概要図である。
【図３】本考案の第２実施例の組立概要図である。
【図４Ａ】本考案の第３実施例の構造分解概要図である。
【図４Ｂ】本考案の第３実施例の構造組立概要図である。
【図５】本考案の第４実施例の組立概要図である。
【図６Ａ】本考案の第５実施例の構造分解概要図である。
【図６Ｂ】本考案の第５実施例の構造組立概要図である。
【符号の説明】
【００３２】
ａ、ａ１、ａ２    スクープ角
ｂ、ｂ１、ｂ２    バウンス角
ｃ    ロフト角
１０    ホーゼル
１１    クラブヘッド
１２    ヘッドソール
２１    フェース部
２１１    打球面
２１２    配置面
２１３    底面
２２    第１ソール置換ブロック
２２１    貼合面
２２２    ソール
２３    ネジ
３２    第２ソール置換ブロック
３２２    ソール
４２    第３ソール置換ブロック
４２２    ソール
４３    ネジ
４４    ナット
４５    ネジ穴
５２    第４ソール置換ブロック
５２１    貼合面
５２３    溝
５３    バランスウエイトブロック
６２    第５ソール置換ブロック
６２１    貼合面
６３    ネジ
６４    ナット
６５    ネジ穴
【図１】
0003144247.tif 000003
【図２Ａ】
0003144247.tif 000004
【図２Ｂ】
0003144247.tif 000005
【図２Ｃ】
0003144247.tif 000006
【図３】
0003144247.tif 000007
【図４Ａ】
0003144247.tif 000008
【図４Ｂ】
0003144247.tif 000009
【図５】
0003144247.tif 000010
【図６Ａ】
0003144247.tif 000011
【図６Ｂ】
0003144247.tif 000012